(57)【要約】      （修正有）【課題】奄美三味線の弦を手で押さえるツボ位置やその配列の目印となるツボ印を奄美三味線の棹に正確に付けることができ、もって、奄美三味線の習得を容易に図ることができる奄美三味線用譜尺を提供する。【解決手段】長尺な譜尺本体１００の端面を奄美三味線１の天神２側の歌口１１側面に当てると共に、譜尺本体１００を棹３表面と弦５〜７との間にセットして譜尺を構成する。さらに、譜尺本体１００の表面１０１および裏面１０２に、前記歌口１１から胴４側の駒１２までの振動弦長を基準にして歌口１１からの位置が割り出され、弦５〜７を手で押さえるツボ位置およびその配列を示す文化譜用のツボ符号と、１・３・６式譜用のツボ符号をそれぞれ設ける。【選択図】図１
0003166619.tif 000002
【実用新案登録請求の範囲】
【請求項１】
長尺な譜尺本体の端面を奄美三味線の天神側の歌口側面に当てると共に、当該譜尺本体を棹表面と弦との間にセットして用いる譜尺であって、譜尺本体の表面に、前記歌口から胴側の駒までの振動弦長を基準とする歌口からの距離が割り出され、弦を手で押さえるツボ位置およびその配列を示すツボ符号が記されていることを特徴とする奄美三味線用譜尺。
【請求項２】
歌口からそれぞれのツボ符号までの距離寸法を目視で確認できる目盛が記されていることを特徴とする請求項１記載の奄美三味線用譜尺。
【請求項３】
前記ツボ符号が３本の各弦に対応して記されていることを特徴とする請求項１または請求項２記載の奄美三味線用譜尺。
【請求項４】
譜尺本体の表面に文化譜用、裏面に１・３・６式譜用にそれぞれ対応するツボ位置および配列を示すツボ符号が記されていることを特徴とする請求項１ないし請求項３のいずれか一項に記載の奄美三味線用譜尺。
【考案の詳細な説明】
【技術分野】
【０００１】
本考案は、奄美三味線の弦を手で押さえるツボ位置やその配列の目印となるツボ印を棹に付ける際に用いる三味線用譜尺に関する。
【背景技術】
【０００２】
三味線は、鉄砲やキリスト教に次いで日本に渡来した楽器であり、はじめ中国から沖縄へ輸入され、室町時代末期に大阪の堺に広がり、その後琵琶法師などにより改造され、形は大型に皮の質やバチなども変化してきた。沖縄や奄美では三味線を三線（サンシン）と呼ぶが、本質的に本土の三味線と異なるところがない。
【０００３】
奄美三味線の構造について、図１を参照して説明すると、奄美三味線１の本体は、先端の天神２と中間の棹３と皮の張られた胴４の３つの部位から構成され、天神２と胴４の間に３本の弦５〜７が張られている。３本の弦はそれぞれ胴掛け８の側から順に一弦（男弦）５、二弦（中弦）６、三弦（女弦）７と呼ばれ、各弦５〜７の一方の先を胴４に掛けた根緒９に通して固定し、他方の先を天神２の糸巻き１０に掛けて巻き込んで天神２側の歌口１１と胴４側に立てた駒１２との間で張りを調整するようにしている。天神２と棹３との間には乳袋１３と呼ばれる側面が膨らんだ部位が存在する。三味線に関しては、従来より種々の例が提案されている（特許文献１、２）。
【０００４】
奄美三味線１の棹３には、ギターのフレットのような目印が存在せず、したがって、初心者が三味線の演奏を学ぶにあたっては、繰り返しの練習により、左手で弦を押さえる場所、すなわちツボ（勘所）位置やその配列を体で覚えたり、ツボ位置に印を付けて練習するようにしている。
【先行技術文献】
【特許文献】
【０００５】
【特許文献１】特開２００９−４２３９２号公報
【特許文献２】登録実用新案第３１３６３２０号公報
【考案の概要】
【考案が解決しようとする課題】
【０００６】
本考案は上記課題に鑑みてなされたもので、奄美三味線を習得するにあたり、奄美三味線の弦を手で押さえるツボ位置やその配列の目印となるツボ印を棹に正確に付けることができ、もって、奄美三味線の習得を容易に図ることができる奄美三味線用譜尺を提供することを目的とする。
【課題を解決するための手段】
【０００７】
上記課題を解決するために、本考案に係る奄美三味線用譜尺は、長尺な譜尺本体の端面を奄美三味線の天神側の歌口側面に当てると共に、当該譜尺本体を棹表面と弦との間にセットして用いる譜尺であって、譜尺本体の表面に、前記歌口から胴側の駒までの振動弦長を基準とする歌口からの距離が割り出され、弦を手で押さえるツボ位置およびその配列を示すツボ符号が記されていることを特徴とする。
【０００８】
本考案に係る奄美三味線用譜尺によると、表面に、弦を手で押さえるツボ位置およびその配列を示すツボ符号が記されている長尺な譜尺本体を、その端面を三味線の天神側の歌口側面に当てると共に、棹表面と弦との間にセットして仮止め等することにより、前記歌口から胴側の駒までの振動弦長を基準とする歌口からのツボ位置やその配列を正確に知ることができる。そして、かかるセット状態で譜尺のツボ符号位置に対応したツボ印を棹の側面（一弦側の側面）や表面に正確に付けることができ、これにより同ツボ印を目印にして、勘や自己流に頼ることなく、ツボ位置を正確に手で押さえながら、奄美三味線を練習することができる。これによって、初心者であっても、楽しく弾きながら、奄美三味線を習得することができる。
【０００９】
本考案に係る奄美三味線用譜尺は、歌口からそれぞれのツボ符号までの距離寸法を目視で確認できる目盛が記されていることを第２の特徴とする。
【００１０】
本考案に係る奄美三味線用譜尺は、前記ツボ符号が３本の各弦に対応して記されていることを第３の特徴とする。
【００１１】
本考案に係る奄美三味線用譜尺は、譜尺本体の表面に文化譜用、裏面に１・３・６式譜用にそれぞれ対応するツボ位置およびその配列を示すツボ符号が記されていることを第４の特徴とする。
【００１２】
奄美三味線譜中、文化譜と、奄美原譜である１・３・６式譜とでは、ツボ位置が同じでも符号や数字が異なる箇所があり、文化譜の譜尺をそのまま１・３・６式譜用に使いにくい。かかる場合、奄美三味線用譜尺の表面に文化譜用、裏面に１・３・６式譜用のそれぞれに対応するツボ符号を記することで、表面を上にして奄美三味線にセットすれば、文化譜用のツボ印を棹の側面や表面に正確に付けることができ、裏面を上にして奄美三味線にセットすれば、１・３・６式譜用のツボ印を棹の側面や表面に正確に付けることができる。
【考案の効果】
【００１３】
以上説明したように、本考案に係る奄美三味線用譜尺によると、表面に、弦を手で押さえるツボ位置またはその配列を示すツボ符号が記されている長尺な譜尺本体を、その端面を三味線の天神側の歌口側面に当てると共に、棹表面と弦との間にセットして用いることにより、奄美三味線用のツボ位置やその配列を示すツボ印を棹の側面や表面に正確にかつ容易に付けることができ、これにより、同奄美三味線用のツボ位置を正確に押さえながら、奄美三味線を練習し、奄美三味線の初心者や入門者であっても、勘に頼ることなく、また、自己流を避けて、安心して奄美三味線と唄を習得できるという優れた効果を奏する。
【００１４】
さらに、本考案に係る奄美三味線用譜尺によると、譜尺本体の表面に文化譜用、裏面に１・３・６式譜用にそれぞれ対応するツボ位置およびその配列を示すツボ符号が記されていることにより、文化譜用、１・３・６式譜用のどちらにも対応させてツボ印を棹の側面や表面に正確に付けることができ、奄美三味線と唄を習得する楽しみを倍増させることができるという優れた効果を奏する。
【図面の簡単な説明】
【００１５】
【図１】本考案の譜尺を奄美三味線にセットする様子を示す斜視図、
【図２】奄美三味線に本考案の譜尺をセットして、棹の側面にツボ印を付けた状態を示す要部側面図、
【図３】奄美三味線用譜尺の表面図で、（Ａ）はその左半分、（Ｂ）はその右半分を示す図、
【図４】奄美三味線用譜尺の裏面図で、（Ａ）はその左半分、（Ｂ）はその右半分を示す図、
【図５】奄美三味線の弦長（振動弦長）と奄美三味線譜に従うツボ位置の関係を示す説明図である。
【考案を実施するための最良の形態】
【００１６】
以下、本考案を実施するための最良の形態について、図１ないし図５を参照して説明する。なお、奄美三味線１の構造は既に説明したのでここでは省略する。
【００１７】
奄美三味線用譜尺は、図１に示すように、プラスチック製、木製、紙製等の長尺な譜尺本体１００からなり、図２に示すように、譜尺本体１００の端面１００Ａを奄美三味線１の天神２の歌口１１側面に当てると共に、棹３表面と各弦５〜７との間にセットして仮止めした状態で使用するようになっている。
【００１８】
図３は、譜尺本体１００の表面１０１を示しており、便宜上、図３（Ａ）は譜尺本体１００の左半分を、同図（Ｂ）は譜尺本体１００の右半分を示している。同表面１０１には、図５に示す奄美三味線１の弦長とツボ位置との関係に従って、奄美三味線譜における文化譜用のツボ位置およびその配列を示すツボ符号、すなわち、三味線１の各弦５〜７の弦長（振動弦長＝６１．２ｃｍ）を基準に歌口１１から割り出された音階位置であって、左手で各弦５〜７を押さえるツボ位置を示すツボ符号Ｔ１〜Ｔｎ、Ｔｍが、２列にわたり、複数配列されている。
【００１９】
より具体的には、歌口１１側の端面１００Ａを開放音として、図５の関係図に従い、同位置から０ｃｍ、３．８ｃｍ、６．８ｃｍ、１０．２ｃｍ、１５．３ｃｍ、１７．３ｃｍ、２０．４ｃｍ、２３．０ｃｍ、２４．５ｃｍ、２６．８ｃｍ、３０．６ｃｍ、３２．５ｃｍ、３４．０ｃｍの位置に、それぞれツボ符号Ｔ１〜Ｔｎとして、アラビア数字の「０」、「１」、「２」、「３」、「４」、「５」、「６」、「７」、「８」、「９」、「１０」、「１１」、「１２」が表示されている。また、半音階のツボ符号Ｔｍとして、ツボ符号Ｔｍとして、「３」と「４」の間の１２．２ｃｍの位置に「♯」、「９」と「１０」の間の２８．５ｃｍの位置に「♭」が表示されている。
【００２０】
上記譜尺本体１００の表面１０１の、２列のツボ符号Ｔ１〜Ｔｎ、Ｔｍの間には、配列されたツボ符号Ｔ１〜Ｔｎ、Ｔｍの距離寸法が一目で分かるように、歌口１１側の端面１００Ａから駒１２側の端面１００Ｂにかけて、１ｍｍ単位の目盛Ｍが１ｃｍ単位の数字と組み合わされて配設されている。なお、一弦５ないし三弦７の各ツボ符号の配列はいずれも歌口１１の端面位置から同一距離にあり、したがって、ツボ符号Ｔ１〜Ｔｎ、Ｔｍは少なくとも１列あればよい。
【００２１】
図４は、譜尺本体１００の裏面１０２を示しており、便宜上、図４（Ａ）は譜尺本体１００の左半分を、同図（Ｂ）は譜尺本体１００の右半分を示している。同裏面１０２には、奄美原譜である１・３・６式譜用のツボ位置を示すツボ符号Ｔ１〜Ｔｎ、Ｔｍ、ＴＡ〜ＴＥが、図５に示す三味線１の弦長とツボ位置との関係に従い、３列にわたり、複数配列されている。
【００２２】
より具体的には、まず、一弦５の対応位置で、図５の関係図に従い、歌口１１側の端面１００Ａから０ｃｍ、６．８ｃｍ、１５．３ｃｍ、２０．４ｃｍ、３０．６ｃｍの位置に、それぞれツボ符号Ｔ１〜Ｔｎとして、「１」、「２」、「３」、「４」、「６」が表示されている。また、ツボ符号Ｔｍとして、１２．２ｃｍの位置に「♯」が表示されている。さらにツボ符号ＴＡ〜ＴＢとして、３．８ｃｍの位置に「Ａ」、１０．２ｃｍの位置に「Ｂ」が表示されている。
【００２３】
次に、二弦６の対応位置で、歌口１１側の端面１００Ａから０ｃｍ、６．８ｃｍ、１５．３ｃｍ、２０．４ｃｍ、２４．５ｃｍの位置に、それぞれツボ符号Ｔ１〜Ｔｎとして、「３」、「４」、「５」、「６」、「７」が表示されている。また、ツボ符号Ｔｍとして、１２．２ｃｍの位置に「♯」が表示されている。さらにツボ符号ＴＡ〜ＴＣとして、３．８ｃｍの位置に「Ａ」、１０．２ｃｍの位置に「Ｂ」、１７．３ｃｍの位置に「Ｃ」が表示されている。
【００２４】
最後に、三弦７の対応位置で、歌口１１側の端面１００Ａから０ｃｍ、６．８ｃｍ、１５．３ｃｍ、２０．４ｃｍ、２４．５ｃｍ、３０．６ｃｍ、３２．５ｃｍ、３４ｃｍの位置に、それぞれツボ符号Ｔ１〜Ｔｎとして、「６」、「７」、「８」、「９」、「１０」、「１６」、「１Ａ」、「１７」が表示されている。また、ツボ符号Ｔｍとして、１２．２ｃｍの位置に「♯」、２８．５ｃｍの位置に「♭」が表示されている。さらにツボ符号ＴＡ〜ＴＥとして、３．８ｃｍの位置に「Ａ」、１０．２ｃｍの位置に「Ｂ」、１７．３ｃｍの位置に「Ｃ」、２３．０ｃｍの位置に「Ｄ」、２６．８ｃｍの位置に「Ｅ」が表示されている。
【００２５】
表面１０１と同じく、譜尺本体１００の裏面１０２の、２列目のツボ符号Ｔ１〜Ｔｎ、Ｔｍ、ＴＡ〜ＴＣの付近には、配列されたツボ符号Ｔ１〜Ｔｎ、Ｔｍ、ＴＡ〜ＴＣの距離寸法が一目で分かるように、歌口１１側の端面１００Ａから駒１２側の端面１００Ｂにかけて、１ｍｍ単位の目盛Ｍが１ｃｍ単位の数字と組み合わされて配設されている。
【００２６】
なお、譜尺本体１００の表面１０１および裏面１０２には、空いたスペースに注意書Ｗ１や使用方法の記載Ｗ２を設けることができる。
【００２７】
次に、上記構成の奄美三味線用譜尺１００の使用方法について、以下に述べる。
【００２８】
上記構成の奄美三味線用譜尺１００は、棹３の側面や表面に奄美三味線用のツボ位置やその配列を示すツボ印を付ける際の道具として使用する。文化譜用のツボ印を付ける場合、まず、図２に示すように、文化譜の面（すなわち表面１０１）を上にして、譜尺本体１００の端面１００Ａを奄美三味線１の天神２の歌口１１側面に当てると共に、棹３表面と各弦５〜７との間に譜尺本体１００をセットし、位置ずれしないように粘着テープ等で仮留めする。そして、棹３の表面や側面（ここでは図２に示すように一弦５側の側面）に、譜尺本体１００のツボ符号Ｔ１〜Ｔｎ、Ｔｍに対応する位置にツボ印Ｔｓを付ける。ここで、ツボ印Ｔｓは、図２に示すように粘着式の小型ラベルにツボ符号を記入したものを貼り付けるか、あるいは該当位置に小さい点をペン修正液（白色）等で打つ。
【００２９】
棹３にツボ印Ｔｓを付けたら、譜尺本体１００は棹３から取り外し、正座の姿勢で奄美三味線１の胴４をその端が右太ももの中心に接するように置く。鼓面はひざに垂直に立て、棹３を左手の人差し指の付け根にのせ、軽く握る。右手にバチを持ち、各弦５〜７を調弦（音合わせ）する。そして、譜面に従い、棹３の側面に付けたツボ印Ｔｓの位置を確認しながら、左手で各弦５〜７のツボ位置を正確に押さえ、右手のバチで音を出すようにする。棹３の側面にツボ印を付けることにより、どの弦のどこを押さえればよいかが一目で分かり、弾きながらでもツボ印を確認することができる。
【００３０】
奄美三味線の初心者や入門者は、棹３の側面に正確に付けたツボ印Ｔｓを目印にして、ツボ位置を正確に押さえながら、奄美三味線の練習を繰り返し行うことができる。ツボ位置や配列を正確に覚えたら、ツボ印Ｔｓは順次除去することができる。
【００３１】
１・３・６式譜用のツボ印を付ける場合、譜尺本体１００の１・３・６式譜の面（裏面１０２）を上にして、譜尺本体１００の端面１００Ａを奄美三味線１の天神２の歌口１１側面に当てると共に、棹３表面と各弦５〜７との間に譜尺本体１００をセットし、粘着テープ等で仮留めする。そして、棹３の表面や側面（一弦５側の側面）に、上記と同様にして１・３・６式譜用のツボ印を付ける。後は譜尺本体１００を棹３から取り外し、棹３に正確に付けたツボ印を目印にして、１・３・６式譜のツボ位置を正確に押さえながら、奄美三味線の練習を繰り返し行うことができる。
【００３２】
以上のようにして、三味線の初心者や入門者は、本考案に係る奄美三味線用譜を用いることにより、奄美三味線の棹３の側面や表面に奄美三味線譜用のツボ位置・配列を示すツボ印を容易かつ正確に付けて、同ツボ印を目印に奄美三味線を練習することができる。
【００３３】
かくして、本考案の三味線用譜尺を用いれば、ツボ位置を勘に頼ることなく、また、自己流になることを避けながら、だれでもツボ位置を正確に押さえて、奄美三味線の習得および上達を図ることができ、老若男女や子供を問わず、奄美三味線を弾く楽しみを増やし、三味線文化の発展に寄与することができる。
【産業上の利用可能性】
【００３４】
本考案に係る奄美三味線用譜尺は、奄美三味線の弦を手で押さえるツボ位置やその配列を示すツボ符号に対応するツボ印を棹の側面や表面に付ける際に用いる道具として利用可能である。
【符号の説明】
【００３５】
１  奄美三味線
２  天神
３  棹
４  胴
５，６，７  弦
８  胴掛け
９  根緒
１０  糸巻き
１１  歌口
１２  駒
１３  乳袋
１００  譜尺本体
１００Ａ，１００Ｂ  端面
１０１  表面
１０２  裏面
Ｍ  目盛
Ｔ１〜Ｔｎ、Ｔｍ、ＴＡ〜ＴＥ  ツボ符号
Ｔｓ  ツボ印
【図１】
0003166619.tif 000003
【図２】
0003166619.tif 000004
【図３】
0003166619.tif 000005
【図４】
0003166619.tif 000006
【図５】
0003166619.tif 000007
【手続補正書】
【提出日】平成23年1月25日(2011.1.25)
【手続補正１】
【補正対象書類名】図面
【補正対象項目名】図５
【補正方法】変更
【補正の内容】
【図５】
0003166619.tif 000008